(57)【特許請求の範囲】
【請求項１】
複数の乗りかごでなる、サービスエリア毎に区分したグループであるバンクを複数種類有し、各バンクに属する乗りかごに対する群管理制御を行なうエレベータの利用者を、当該エレベータ利用者が所持する通信機器に記憶されて当該利用者固有の行先階情報を含む利用者情報の読み取りに応じて認証する認証装置と、
前記認証装置により認証を行なった場合に、当該認証のために前記利用者情報を読み取った階床の乗り場呼びを行なって、前記読み取った行先階情報で示される行先階をサービスエリアとするバンクに属する乗りかごの中から最適な乗りかごを選定して前記乗り場呼びを割り当てる割当制御手段と、
複数設けられ、前記認証装置により認証を行なった場合に開扉して前記各バンクのそれぞれの乗り場への利用者の入場を可能にするゲートと、
前記各バンクの各号機の利用需要、および前記複数のバンクのそれぞれと前記複数のゲートのそれぞれとの位置関係をもとに、前記複数のゲートのそれぞれについて、当該ゲートからの利用者の誘導先のバンクを決定するバンク決定部と、
前記複数のゲートのそれぞれに対応して設けられる表示装置と、
前記表示装置に対し、当該表示装置が設けられるゲートについて前記バンク決定部により決定したバンクの識別情報を表示させるバンク表示制御部と
を備えたことを特徴とするエレベータの群管理制御システム。
【請求項２】
前記バンク表示制御部は、
前記各ゲートに設けられる前記表示装置に対する表示を行なう必要が無い所定の時間帯において、前記各ゲートに設けられる前記表示装置に対する、当該ゲートについて前記バンク決定部により決定したバンクの識別情報の表示を行なわない
ことを特徴とする請求項１に記載のエレベータの群管理制御システム。
【請求項３】
前記認証装置は、
前記認証装置により認証を行なうことで入場可能な区域内の前記利用者の混雑状況が、当該区域内への利用者のさらなる入場を制限すべき所定の状況にある場合に、前記各ゲートのうち、前記認証を行なうことにより開扉させる所定のゲートについては、前記認証を行なうことにより開扉させ、前記各ゲートのうち、前記区域内への利用者のさらなる入場を制限するために、前記所定のゲート以外のゲートについては開扉させない
ことを特徴とする請求項１に記載のエレベータの群管理制御システム。
【請求項４】
前記バンク決定部は、
前記各バンクの各号機の利用需要、および前記各バンクと前記各ゲートとの位置関係をもとに、前記各ゲートのそれぞれについて、当該ゲートから入場した利用者の誘導先のバンクを前記各ゲートから入場した複数の利用者同士の動線の交差が低減するように決定する
ことを特徴とする請求項１に記載のエレベータの群管理制御システム。
【請求項５】
前記認証装置により認証を行なうことで利用者が入場可能な区域外における、前記各ゲートの前記表示装置が一様に視認できない位置において、前記各ゲートの前記表示装置に表示されるバンクの識別情報の表示状況の表示を行なう表示装置をさらに備えた
ことを特徴とする請求項１に記載のエレベータの群管理制御システム。
【請求項６】
前記バンク決定部は、
前記各バンクの各号機についての複数に区分した時間帯のそれぞれの利用需要、および前記各バンクと前記各ゲートとの位置関係をもとに、現在時刻が属する時間帯が切り替わるごとに、前記各ゲートのそれぞれについて、当該ゲートからの利用者の誘導先とするバンクを決定する
ことを特徴とする請求項１に記載のエレベータの群管理制御システム。
【発明の詳細な説明】
【技術分野】
【０００１】
本発明の実施形態は、複数台のエレベータを有するエレベータの群管理制御システムに係り、特に各エレベータがサービスエリアの異なる各バンクに分けて群管理制御されたエレベータの群管理制御システムに関する。
【背景技術】
【０００２】
従来、一般に事務所ビルにエレベータを設置する場合、使用用途、利用人数などビル内の交通需要、交通流（人の流れ）を計算し、エレベータの設置台数を決定する。特に、高階床ビルの場合、待ち時間を少なくするために、エレベータのサービスエリアを低層エリアと高層エリアを含む複数のエリアに分割した構成をとることが多い。
【０００３】
例えば、エレベータのＡ号機〜Ｈ号機のうちＡ号機〜Ｄ号機を、４０階建てのビルにおける１Ｆ〜２０Ｆまでをサービスエリアとする第１のバンクに区分し、かつ、Ｅ号機〜Ｈ号機を、１Ｆ及び２１Ｆ〜４０Ｆまでをサービスエリアとする第２のバンクに区分して、各バンクに属する各号機の群管理制御を行ない、Ａ号機〜Ｄ号機のエレベータは１Ｆ〜２０Ｆまでのエリアに応答し、Ｅ号機〜Ｈ号機のエレベータは、１Ｆ及び２１Ｆ〜４０Ｆまでのエリアに応答するといったものである。
【０００４】
また、このようなエレベータのうち、乗り場（ホール）への入場の許可の対象となる利用者を、エレベータ設置ビル内の関係者など、特定の利用者にのみに制限するために、認証装置を備えたゲートをビルの入り口とエレベータの各バンクの乗り場との間に設置して、この認証装置により利用者の認証を行なった際にゲートを開扉して、当該認証を受けた利用者のみがエレベータの乗り場へ入場できるようにしたものがある。
【先行技術文献】
【特許文献】
【０００５】
【特許文献１】特開２００７−３２０７５８号公報
【発明の概要】
【発明が解決しようとする課題】
【０００６】
上述したような、認証装置やゲートを設置したエレベータにおいて、複数のバンクに共通してゲートが設置されている、つまり、各バンクに対応する乗り場同士が連なっており、利用者がゲートを通行したのちに各バンクの乗り場のいずれへも移動可能であるエレベータがある。
【０００７】
このようなエレベータにおいて、認証とともに群管理制御による乗りかごの割り当てを行なう場合には、認証を受けた利用者が通行したゲートの位置と、当該利用者の行先階に対応するバンクの乗り場の位置との関係によっては、複数の利用者同士の動線(traffic line)の交差の頻度が著しく高くなる原因となり、また、認証を経て利用者が通行したゲートの位置から群管理制御により割り当てられた乗りかごの乗り場までの当該利用者の移動距離が著しく長くなる原因ともなり、これらの原因により、割り当てられた乗りかごへの利用者の乗り遅れが生ずるおそれがある。
【０００８】
本発明が解決しようとする課題は、乗りかごのサービスエリアごとに区分されるバンクの乗り場への乗客の移動の効率を改善することで乗り遅れを防止することが可能になるエレベータの群管理制御システムを提供することにある。
【課題を解決するための手段】
【０００９】
実施形態によれば、エレベータの群管理制御システムは、複数の乗りかごでなる、サービスエリア毎に区分したグループであるバンクを複数種類有し、各バンクに属する乗りかごに対する群管理制御を行なうエレベータの利用者を、エレベータ利用者が所持する通信機器に記憶されて当該利用者固有の行先階情報を含む利用者情報の読み取りに応じて認証する認証装置と、認証装置により認証を行なった場合に、当該認証のために利用者情報を読み取った階床の乗り場呼びを行なって、読み取った行先階情報で示される行先階をサービスエリアとするバンクに属する乗りかごの中から最適な乗りかごを選定して乗り場呼びを割り当てる割当制御手段とをもつ。
【００１０】
また、このエレベータの群管理制御システムは、複数設けられ、認証装置により認証を行なった場合に開扉して各バンクのそれぞれの乗り場への利用者の入場を可能にするゲートと、各バンクの各号機の利用需要、および複数のバンクのそれぞれと複数のゲートのそれぞれとの位置関係をもとに、複数のゲートのそれぞれについて、当該ゲートからの利用者の誘導先のバンクを決定するバンク決定部と、複数のゲートのそれぞれに対応して設けられる表示装置と、表示装置に対し、当該表示装置が設けられるゲートについてバンク決定部により決定したバンクの識別情報を表示させるバンク表示制御部とをもつ。
【図面の簡単な説明】
【００１１】
【図１】第１の実施形態におけるエレベータの群管理制御システムの全体構成の一例を示すブロック図。
【図２】第１の実施形態におけるエレベータの群管理制御システムのバンク識別名、号機名およびサービスエリアとの関係を表形式で示す図。
【図３】第１の実施形態におけるエレベータの群管理制御システムの群管理制御装置の機能構成の一例を示すブロック図。
【図４】第１の実施形態におけるエレベータの群管理制御システムの割当表示装置による表示例を示す図。
【図５】第１の実施形態におけるエレベータの群管理制御システムの各種機器の配置形態の概要の一例を示す上面図。
【図６】第１の実施形態におけるエレベータの群管理制御システムによる表示制御処理の手順の一例を示すフローチャート。
【図７】第１の実施形態におけるエレベータの群管理制御システムのバンク識別名および当該バンク識別名を表示するゲート識別名との対応関係の一例を表形式で示す図。
【図８】第１の実施形態におけるエレベータの群管理制御システムによる認証処理および運転制御処理の手順の一例を示すフローチャート。
【図９】第１の実施形態におけるエレベータの群管理制御システムの分担バンク表示装置による表示例を示す図。
【図１０】第２の実施形態におけるエレベータの群管理制御システムの群管理制御装置の機能構成の一例を示すブロック図。
【図１１】第２の実施形態におけるエレベータの群管理制御システムによる表示制御処理の手順の一例を示すフローチャート。
【図１２】第３の実施形態におけるエレベータの群管理制御システムの群管理制御装置の機能構成の一例を示すブロック図。
【図１３】第３の実施形態におけるエレベータの群管理制御システムによる表示制御処理の手順の一例を示すフローチャート。
【図１４】第４の実施形態におけるエレベータの群管理制御システムの群管理制御装置の機能構成の一例を示すブロック図。
【図１５】第４の実施形態におけるエレベータの群管理制御システムによる表示制御処理の手順の一例を示すフローチャート。
【発明を実施するための形態】
【００１２】
以下、実施の形態について、図面を参照して説明する。  
（第１の実施形態）
まず、第１の実施形態について説明する。本実施形態では、サービスエリアの異なる各バンクに分けて群管理制御されたエレベータにおいて、群管理制御により割り当てられた乗りかごへの乗客への乗り遅れを防止するために、複数のエレベータ利用者同士の同じタイミングでの動線の交差の程度を低減し、また、割り当てられた乗りかごまでのエレベータ利用者の移動距離が著しく長くならないようにすることを特徴とする。
【００１３】
図１は、第１の実施形態におけるエレベータの群管理制御システムの全体構成の一例を示すブロック図である。  
ここでは、１Ｆ〜２０Ｆの階床を有するエレベータ設置ビルに１６台の号機を設け、これら複数台の号機の運転が群管理制御された場合を想定して説明する。なお、ここで言う「号機」とは、基本的には乗りかごのことを示す。
【００１４】
各階の各バンクの乗り場には、ホール呼び登録ボタン２０が設けられる。各階の乗り場において、このホール呼び登録ボタン２０を押下すると、各号機の中の最適な号機が群管理制御により割り当てられて、押下されたホール呼び登録ボタン２０が設けられる乗り場に応答する。なお、各階の各バンクの乗り場に設置されたホール呼び登録ボタン２０の操作によって登録された呼びのことを「ホール呼び」と言う。これに対し、乗りかご内の行先階指定ボタンの操作により登録された呼びのことを「かご呼び」と言う。
【００１５】
図２は、第１の実施形態におけるエレベータの群管理制御システムのバンク識別名、号機名およびサービスエリアとの関係を表形式で示す図である。  
本実施形態では、各号機をサービスエリア、つまりかご呼びに対する応答が可能な階床ごとに４つのバンクに区分している。これらのバンクのうち、第１のバンクであるバンクａには、図２に示すように、基準階である１Ｆと基準階以外の２Ｆ〜５Ｆとをサービスエリアとする４台の号機であるＡ号機、Ｂ号機、Ｃ号機、Ｄ号機が属する。本実施形態では、ビルへ入館したエレベータ利用者は、当該ビル内の基準階から乗りかごに乗車するものとする。
【００１６】
第１のバンクであるバンクａに属する各号機は、６Ｆより上の階には応答不可である。また、バンクａのサービスエリアである１Ｆと２Ｆ〜５Ｆとにおけるバンクａの乗り場には、ホール呼び登録ボタン２０が少なくとも１つ設置される。
【００１７】
第２のバンクであるバンクｂには、図２に示すように、基準階である１Ｆと基準階以外の６Ｆ〜１０Ｆとをサービスエリアとする４台の号機であるＥ号機、Ｆ号機、Ｇ号機、Ｈ号機が属する。このバンクｂに属する各号機は、２Ｆ〜５Ｆには応答不可であり、１１Ｆより上の階にも応答不可である。また、バンクｂのサービスエリアである１Ｆと６Ｆ〜１０Ｆとにおけるバンクｂの乗り場には、ホール呼び登録ボタン２０が少なくとも１つ設置される。
【００１８】
第３のバンクであるバンクｃには、図２に示すように、基準階である１Ｆと基準階以外の１１Ｆ〜１５Ｆとをサービスエリアとする４台の号機であるＩ号機、Ｊ号機、Ｋ号機、Ｌ号機が属する。このバンクｃに属する各号機は、２Ｆ〜１０Ｆには応答不可であり、１６Ｆより上の階にも応答不可である。また、バンクｃのサービスエリアである１Ｆと１１Ｆ〜１５Ｆとにおけるバンクｃの乗り場には、ホール呼び登録ボタン２０が少なくとも１つ設置される。
【００１９】
第４のバンクであるバンクｄには、図２に示すように、基準階である１Ｆと基準階以外の１６Ｆ〜２０Ｆとをサービスエリアとする４台の号機であるＭ号機、Ｎ号機、Ｏ号機、Ｐ号機が属する。このバンクｄに属する各号機は、２Ｆ〜１５Ｆには応答不可である。また、バンクｄのサービスエリアである１Ｆと１６Ｆ〜２０Ｆとにおけるバンクｄの乗り場には、ホール呼び登録ボタン２０が少なくとも１つ設置される。
【００２０】
ここでは、各バンクの間では、基準階以外のサービスエリアが重複していない場合について説明したが、これに限らず、各バンクの間で基準階以外のサービスエリアの一部が重複していてもよい。
【００２１】
図１に示すように、Ａ号機、Ｂ号機、Ｃ号機、Ｄ号機に対応して、Ａ号機かご制御装置２１ａ，Ｂ号機かご制御装置２１ｂ，Ｃ号機かご制御装置２１ｃ，Ｄ号機かご制御装置２１ｄが設けられ、Ｅ号機、Ｆ号機、Ｇ号機、Ｈ号機に対応して、Ｅ号機かご制御装置２１ｅ，Ｆ号機かご制御装置２１ｆ，Ｇ号機かご制御装置２１ｇ，Ｈ号機かご制御装置２１ｈが設けられる。
【００２２】
また、Ｉ号機、Ｊ号機、Ｋ号機、Ｌ号機に対応して、Ｉ号機かご制御装置２１ｉ，Ｊ号機かご制御装置２１ｊ，Ｋ号機かご制御装置２１ｋ，Ｌ号機かご制御装置２１ｌが設けられ、Ｍ号機、Ｎ号機、Ｏ号機、Ｏ号機に対応して、Ｍ号機かご制御装置２１ｍ，Ｎ号機かご制御装置２１ｎ，Ｏ号機かご制御装置２１ｏ，Ｐ号機かご制御装置２１ｐが設けられる。以下、必要に応じて、これらのかご制御装置を総称して、単にかご制御装置２１と称する。各号機のかご制御装置２１は、図示せぬ巻上機の駆動制御やドアの開閉制御などを含む号機単体での制御を行なう。
【００２３】
図１に示すように、エレベータの群管理制御システムには、各バンク内の号機の群管理制御を行なう群管理制御装置１が設けられる。なお、群管理制御装置１はコンピュータによって構成される。
【００２４】
また、このエレベータの群管理制御システムの設置ビルの基準階である１Ｆには、エレベータ利用者を認証する認証装置２、この認証装置２による認証を行なった際に開扉する複数のゲートＧ１，Ｇ２，Ｇ３，…が設けられる。
【００２５】
第１のゲートであるゲートＧ１には、読取装置３ａ、割当表示装置４ａ、分担バンク表示装置５ａが設けられる。また、第２のゲートであるゲートＧ２には、読取装置３ｂ、割当表示装置４ｂ、分担バンク表示装置５ａが設けられる。また、第３のゲートであるゲートＧ３には、読取装置３ｃ、割当表示装置４ｃ、分担バンク表示装置５ｃが設けられる。図１では３つのゲートを示しているが、複数であればこの数に限られない。
【００２６】
また、必要に応じて、それぞれの読取装置を単に読取装置３と称し、それぞれの割当表示装置を単に割当表示装置４と称し、それぞれの分担バンク表示装置を単に分担バンク表示装置５と称する。
【００２７】
認証装置２は、エレベータ利用者が携帯するＩＣカードを介して、当該利用者のエレベータ利用にかかる個人認証を行なう。  
また、読取装置３は、利用者のＩＣカードのメモリチップに記憶される、当該ＩＣカードを所持する利用者に固有の利用者情報を近距離無線通信により受信することで、この利用者情報を読み取って、認証装置２に出力する。この利用者情報は、利用者の所定の行先階の情報を含む。
【００２８】
また、ＩＣカードの代わりに、利用者情報を記憶するメモリを備えたモバイル機器である携帯電話機を用いるようにしてもよい。このモバイル機器は、利用者が携帯可能で通信機能を有する機器であれば、例えばＰＤＡ（Personal Digital Assistant：携帯情報端末）などであってもよい。
【００２９】
認証装置２は、読取装置３により読み取った利用者情報を当該読取装置３から入力した際に、内蔵するデータベースにアクセスし、このデータベースに記憶される利用者情報を読み出す。  
認証装置２は、データベースに記憶される利用者情報と読み取った利用者情報とを照合し、データベースに記憶される利用者情報のいずれかと読み取った利用者情報とが一致する場合には、利用者の個人認証が成功したと判断して、読み取り元の読取装置３が設けられるゲートを開扉するとともに、当該ゲートの設置階床である１Ｆのホール呼びの信号を群管理制御装置１に出力する。これにより、利用者がホール呼び登録ボタン２０を押下せずともホール呼びの登録を行なえる。
【００３０】
さらに、認証装置２は、照合対象の利用者情報に含まれる行先階の情報を読み出して群管理制御装置１に出力する。そして、群管理制御装置１は、この行先階がサービスエリアに含まれるバンクに属する号機のいずれかを群管理制御による割り当て号機として、読み取り元のゲートの設置階床に応答させる。
【００３１】
図３は、第１の実施形態におけるエレベータの群管理制御システムの群管理制御装置の機能構成の一例を示すブロック図である。  
図３に示すように、群管理制御装置１は、装置全体の処理動作を司る制御部１１、記憶装置１２、通信インタフェース１３、登録制御部１４、割り当て制御部１５、需要統計処理部１６、分担バンク決定部１７、分担バンク表示制御部１８、分担状況表示制御部１９を有する。通信インタフェース１３、登録制御部１４、割り当て制御部１５、需要統計処理部１６、分担バンク決定部１７、分担バンク表示制御部１８、分担状況表示制御部１９は、マイクロプロセッサ上のソフトウェアにて実行される処理部であり、図１のように各部間で情報の授受が可能となっている。
【００３２】
これらのうち、需要統計処理部１６、分担バンク決定部１７、分担バンク表示制御部１８、分担状況表示制御部１９は、従来技術に比した特徴的な機能を有する。  
記憶装置１２は、例えば不揮発性メモリなどの記憶媒体であり、通信インタフェース１３、登録制御部１４、割り当て制御部１５、需要統計処理部１６、分担バンク決定部１７、分担バンク表示制御部１８、分担状況表示制御部１９による処理動作のためのプログラムを記憶する他、記憶領域として、需要データ記憶部１２ａ、バンク情報記憶部１２ｂを有する。
【００３３】
割り当て制御部１５は、読取装置３による、利用者のＩＣカードに記憶される利用者情報の読み取りにしたがって、基準階である１Ｆのホール呼びがなされた場合、このホール呼びに対し、読み取り済みの利用者情報に含まれる行先階をサービスエリアとするバンクの各号機の状態情報（かご位置、運転方向、戸開閉状態、各号機の行先階登録情報等）を各号機のかご制御装置２１から取得し、この状態情報に基づいて、それぞれの評価値を算出し、評価値が最も良好な号機のかご制御装置２１に対して通信インタフェース１３を介して割当信号を出力する。なお、一般的に評価関数では、評価値の値が小さいほど評価が高く、その値が大きいほど評価が低いことを意味する。
【００３４】
また、割り当て制御部１５は、この割当信号の出力先の号機の識別名、および当該識別名を利用者に知らせるためのメッセージを一定時間表示させるための表示指示信号を通信インタフェース１３を介して認証装置２に出力する。認証装置２は、割り当て制御部１５からの表示指示信号を入力すると、当該指示信号が示す号機が応答予定である旨を示すメッセージを、ホール呼び元の階床における、利用者情報の読み取り元の読取装置３が設けられるゲートの割当表示装置４に一定時間表示させる。
【００３５】
図４は、第１の実施形態におけるエレベータの群管理制御システムの割当表示装置による表示例を示す図である。  
例えば、ホール呼び元の階床が１Ｆであって、このホール呼びにより割り当てられた号機がＡ号機である場合、この１Ｆに設置される各ゲートのうち、読み取りを行なった読取装置３が設けられるゲートの割当表示装置４には、図４に示すように、「Ａ号機がまいります。バンクａへお進みください。」と表示され、利用者に対し、ホール呼び元の階床である１Ｆへ応答する号機、および、当該号機が属するバンクへの移動を促すメッセージを報知する。
【００３６】
また、登録制御部１４は、各バンクに属する各号機の乗りかご内に設置された行先階指定ボタンの操作によって発生するかご呼びを記憶する。  
本実施形態では、ゲートの認証装置２による認証を行なう際とは別に、各バンクの乗り場のホール呼び登録ボタン２０の操作によりホール呼びを登録できる。具体的には、バンクａのサービスエリアに属する２Ｆ〜５Ｆの各階、または基準階である１階におけるバンクａに属する各号機の乗り場に設置されたホール呼び登録ボタン２０の操作によりホール呼びが登録されると、割り当て制御部１５は、バンクａに属する４台の号機であるＡ〜Ｄ号機の中から評価値が最良の号機を選定し、この選定した号機のかご制御装置２１に割当信号を出力する。
【００３７】
また、バンクｂのサービスエリアに属する６Ｆ〜１０Ｆの各階、または基準階である１階におけるバンクｂに属する各号機の乗り場に設置されたホール呼び登録ボタン２０の操作によりホール呼びが登録されると、割り当て制御部１５は、バンクｂに属する４台の号機であるＥ〜Ｈ号機中から評価値が最良の号機を選定し、この選定した号機のかご制御装置２１に割当信号を出力する。
【００３８】
また、バンクｃのサービスエリアに属する１１Ｆ〜１５Ｆの各階、または基準階である１階におけるバンクｃに属する各号機の乗り場に設置されたホール呼び登録ボタン２０の操作によりホール呼びが登録されると、割り当て制御部１５は、バンクｃに属する４台の号機であるＩ〜Ｌ号機中から評価値が最良の号機を選定し、この選定した号機のかご制御装置２１に割当信号を出力する。
【００３９】
また、バンクｄのサービスエリアに属する１６Ｆ〜２０Ｆの各階、または基準階である１階におけるバンクｄに属する各号機の乗り場に設置されたホール呼び登録ボタン２０の操作によりホール呼びが登録されると、割り当て制御部１５は、バンクｄに属する４台の号機であるＭ〜Ｐ号機中から評価値が最良の号機を選定し、この選定した号機のかご制御装置２１に割当信号を出力する。
【００４０】
なお、エレベータ設置ビルへの来訪者など、特定の行先階のない利用者を認証装置２により認証する際は、この利用者が行先階情報を含まない来訪者用の利用者情報を含むＩＣカードを携帯し、このＩＣカードを基準階のいずれかのゲートの読取装置３に近接させて認証を行なう。この場合、基準階へのホール呼びの登録や割当表示装置４への表示は行わず、ゲートからセキュリティエリア内に入場した来訪者は、所望の行先階をサービスエリアとするバンクの乗り場のホール呼び登録ボタン２０を押下してホール呼びを登録する。
【００４１】
需要統計処理部１６は、前述のように、従来技術に比した特徴的な機能を有し、登録制御部１４により、各号機について登録したかご呼びの数を過去一定期間内に集計し、この発生頻度を各バンクのそれぞれについて計算し、この計算結果を各バンクの利用需要データとして記憶装置１２の需要データ記憶部１２ａに記憶する。
【００４２】
分担バンク決定部１７は、前述のように、従来技術に比した特徴的な機能を有し、需要統計処理部１６による計算結果をもとに、各ゲートのそれぞれについて、当該ゲートからの利用者の誘導先のバンクを決定する。
【００４３】
ゲートからの利用者の誘導先のバンクとは、利用者が、自身の行先階と当該行先階をサービスエリアとするバンクとの関係を把握していることを前提として、割当信号の出力先への号機への利用者による乗り遅れを防止するために、このゲートからバンクまで移動する乗客の動線および他の乗客の同じタイミングの動線の交差ができるだけ発生しないようにするためのバンクである。
【００４４】
具体的には、分担バンク決定部１７は、需要統計処理部１６による計算結果で示されるかご呼びの発生の頻度が高い号機が属するバンクについては、このバンクを誘導先とするバンクとするゲートの数が多くなり、かつ、需要統計処理部１６による計算結果で示されるかご呼びの発生の頻度が高い号機が属さないバンクについては、このバンクを誘導先とするバンクとするゲートの数が少なくなるように、各ゲートのそれぞれについて、当該ゲートからの利用者の誘導先とするバンクを決定する。
【００４５】
さらに、本実施形態では、分担バンク決定部１７は、ゲートからの利用者の誘導先とするバンクの決定にあたり、ゲートを起点として、複数の利用者同士の同じタイミングでの動線の交差の程度を軽減し、各バンクのうち利用者の行先階をサービスエリアに含むバンクまでの当該利用者の移動距離が著しく長くならないように、各ゲートの設置箇所と各バンクの乗り場との位置関係を考慮し、分担バンク決定部１７による決定結果で示される、各ゲートと、当該ゲートからの利用者の誘導先とするバンクとの間の距離が著しく長くならないようにする。
【００４６】
分担バンク表示制御部１８は、分担バンク決定部１７により決定した、各ゲートのそれぞれについて、当該ゲートからの利用者の誘導先とするバンクの識別名を該当するゲートの分担バンク表示装置５に表示させる。これにより、利用者は、各ゲートのうち、自身が認識している行先階をサービスエリアとするバンクへの移動のために通行するゲートを容易に把握できる。よって、各利用者が、この分担バンク表示装置５にしたがってゲートからの入場を行なえば、複数の利用者同士の同じタイミングでの動線の交差の発生を軽減できる。
【００４７】
また、需要統計処理部１６は、各号機について登録したかご呼びの発生頻度を、所定時間が経過するごとに再計算する。この再計算に伴い、分担バンク決定部１７は、各ゲートのそれぞれについて、当該ゲートからの利用者の誘導先とするバンクを再度決定し、この決定により、分担バンク表示制御部１８による新たな表示制御がなされる。
【００４８】
図５は、第１の実施形態におけるエレベータの群管理制御システムの各種機器の配置形態の概要の一例を示す上面図である。  
図５では、基準階である１Ｆにおける、各バンクに属する各号機の配置、および各ゲートの配置形態の一例を示している。  
また、本実施形態における、ビル入り口から入った先の１Ｆのエリアは、認証装置２による認証を経ることなく利用者３０が通行可能なフリーエリアと、認証装置２による認証を経てゲートを通行することで利用者３０が通行可能なセキュリティエリアとに区分される。各バンクは、このセキュリティエリア内に位置する。
【００４９】
図５に示すように、セキュリティエリアは、壁面および複数のゲートで囲まれている。各ゲートは、バンクａ，バンクｂに近い、直線状に並んだ第１のグループと、バンクｃ，バンクｄに近い、直線状に並んだ第２のグループとに区分される。
【００５０】
ゲートは、認証装置２による認証を行なっていない状態では閉じられており、認証装置２による認証を行なった場合に開扉する。利用者は、この開扉したゲートを通行することにより、フリーエリアからセキュリティエリアに入場することができる。
【００５１】
次に、セキュリティエリア内における各バンクに対応する乗り場の配置について説明する。また、このセキュリティエリアは一様のエリアであり、このエリア内では、通行したゲートの位置に関わらず、各バンクに対応する乗り場の間を利用者が行き来可能となっている。
【００５２】
また、本実施形態では、セキュリティエリア内におけるバンクａとバンクｃとは、バンクａのＡ号機、Ｂ号機、バンクｃのＩ号機、Ｊ号機の順で直線状に並び、かつ、バンクａのＣ号機、Ｄ号機、バンクｃのＫ号機、Ｌ号機の順で直線状に並ぶ形態で隣接し、バンクａの乗り場とバンクｃの乗り場とは利用者が直接行き来可能に隣接している。  
また、バンクｂとバンクｄとは、バンクｂのＥ号機、Ｆ号機、バンクｄのＭ号機、Ｎ号機の順で一列に並び、かつ、バンクｂのＧ号機、Ｈ号機、バンクｄのＯ号機、Ｐ号機の順で一列に並ぶ形態で隣接し、バンクｂの乗り場とバンクｄの乗り場とが利用者が直接行き来可能に隣接している。
【００５３】
次に、各バンクにおける各号機の配置について説明する。本実施形態では、バンクａにおいては、前述のように、Ａ号機とＢ号機とが併設され、また、Ｃ号機とＤ号機とが併設され、Ａ号機の図示しないホールドアとＣ号機のホールドアとがバンクａの乗り場を介して対向し、Ｂ号機のホールドアとＤ号機のホールドアとがバンクａの乗り場を介して対向する。
【００５４】
また、バンクｂにおいては、前述のように、Ｅ号機とＦ号機とが併設され、また、Ｇ号機とＨ号機とが併設され、Ｅ号機のホールドアとＧ号機のホールドアとがバンクｂの乗り場を介して対向し、Ｆ号機のホールドアとＨ号機のホールドアとがバンクｂの乗り場を介して対向する。
【００５５】
また、バンクａとバンクｂとは、Ｃ号機のホールドアからみた乗りかごの背面がＥ号機のホールドアからみた乗りかごの背面と隣接し、かつＤ号機のホールドアからみた乗りかごの背面がＦ号機のホールドアからみた乗りかごの背面と隣接し、バンクａの乗り場とバンクｂの乗り場との一方から他方は利用者が視認できないようになっている。
【００５６】
同様に、本実施形態では、バンクｃにおいて、Ｉ号機とＪ号機とが併設され、また、Ｋ号機とＬ号機とが併設され、Ｉ号機のホールドアとＫ号機のホールドアとがバンクｃのホールを介して対向し、Ｊ号機のホールドアとＬ号機のホールドアとがバンクｃのホールを介して対向する。
【００５７】
また、バンクｄにおいて、Ｍ号機とＮ号機とが併設され、また、Ｏ号機とＰ号機とが併設され、Ｍ号機のホールドアとＯ号機のホールドアとがバンクｄの乗り場を介して対向し、Ｎ号機のホールドアとＰ号機のホールドアとがバンクｄの乗り場を介して対向する。
【００５８】
また、バンクｃとバンクｄとは、Ｋ号機のホールドアからみた乗りかごの背面がＭ号機のホールドアからみた乗りかごの背面と隣接し、かつＬ号機のホールドアからみた乗りかごの背面がＮ号機のホールドアからみた乗りかごの背面とが隣接し、バンクｃの乗り場とバンクｄの乗り場との一方から他方を利用者が視認できないようになっている。
【００５９】
図５に示した形態では、各バンクの各号機は、直線状に並べられたゲートに挟まれ、かつこれらのゲートと壁面とに囲まれた形態となっているが、これに限らず、例えば、円状に並べられたゲートに囲まれる形態であってもよい。
【００６０】
また、本実施形態では、フリーエリア、つまりビル入口と各ゲートとの間における、利用者によりゲートの全てが一様に視認できない場所にゲート分担状況表示装置６が設けられる。このゲート分担状況表示装置６は、当該ゲート分担状況表示装置６からの誘導先にあるゲート群の分担バンク表示装置５による誘導先のゲートの表示状況を表示する。これにより、利用者は、自身が認識している行先階をサービスエリアとするバンクを誘導先とするゲートの設置箇所を容易に把握できる。
【００６１】
具体的には、ゲート分担状況表示装置６は、例えば、図５に示すように、左半分の表示領域には、ビル入口からみたゲート分担状況表示装置６の設置位置から左方向の通路の先にあるゲート群の分担バンク表示装置５による誘導先がバンクａまたはバンクｂであることの状況を表示するために、バンクａおよびバンクｂの識別名、およびビル入口からみたゲート分担状況表示装置６の設置箇所からの左方向への誘導表示を行なう。
【００６２】
また、ゲート分担状況表示装置６は、例えば、図５に示すように、右半分の表示領域には、ビル入口からみたゲート分担状況表示装置６の設置位置から右方向の通路の先にあるゲート群の分担バンク表示装置５による誘導先がバンクｃまたはバンクｄであることの状況を表示するために、バンクｃおよびバンクｃの識別名、およびビル入口からみたゲート分担状況表示装置６の設置箇所からの右方向への誘導表示を行なう。
【００６３】
これにより、ゲート分担状況表示装置６の設置箇所からバンクａ，バンクｂへの誘導表示を行なうゲートへの利用者の誘導、および当該ゲート分担状況表示装置６の設置箇所からバンクｃ，バンクｄへの誘導表示を行なうゲートへの利用者の誘導のための表示がなされる。
【００６４】
次に、図１に示した構成のエレベータの群管理制御システムの動作について説明する。図６は、第１の実施形態におけるエレベータの群管理制御システムによる表示制御処理の手順の一例を示すフローチャートである。  
まず、群管理制御装置１の分担バンク決定部１７は、記憶装置１２の需要データ記憶部１２ａから、各バンクの利用需要データを読み出す（ステップＳ１）。
【００６５】
そして、分担バンク決定部１７は、各ゲートと各バンクとの位置関係を示す位置情報を記憶装置１２から読み出す（ステップＳ２）。  
分担バンク決定部１７は、各ゲートのうち１つを選択し（ステップＳ３）、当該選択したゲートからの誘導先とするバンクを決定し、前述した選択済みのゲート、および当該ゲートからの誘導先として決定したバンクとの対応情報を記憶装置１２のバンク情報記憶部１２ｂに記憶する（ステップＳ４）。
【００６６】
そして、分担バンク決定部１７により各ゲートのうち、前述した誘導先とするバンクが決定していないゲートがある場合には（ステップＳ５のＮＯ）、Ｓ３に戻る。  
また、分担バンク決定部１７により、各ゲートの全てについて前述した誘導先とするバンクを決定した場合には（ステップＳ５のＹＥＳ）、分担バンク表示制御部１８は、分担バンク決定部１７により決定した、各ゲートのそれぞれについての、当該ゲートからの利用者の誘導先とするバンクの識別名のメッセージを、該当するゲートの分担バンク表示装置５に表示させる。
【００６７】
図７は、第１の実施形態におけるエレベータの群管理制御システムのバンク識別名および当該バンク識別名を表示するゲート識別名との対応関係の一例を表形式で示す図である。  
この対応関係の情報は、記憶装置１２のバンク情報記憶部１２ｂに記憶される情報である。この例では、ゲートＧ１，Ｇ２，…，Ｇ６については、当該ゲートからの利用者の誘導先として決定されたバンクがバンクａであり、ゲートＧ７，Ｇ８，…，Ｇ１５については、当該ゲートからの利用者の誘導先として決定されたバンクがバンクｂであることを示している。  
これらゲートＧ１，Ｇ２，…，Ｇ１５は、図５に示した、バンクａ，バンクｂに近い、直線状に並んだ第１のグループを指す。
【００６８】
また、ゲートＧ１６，Ｇ１７，…，Ｇ２３については、当該ゲートからの利用者の誘導先として決定されたバンクがバンクｃであり、ゲートＧ２４，Ｇ２５，…，Ｇ３０については、当該ゲートからの利用者の誘導先として決定されたバンクがバンクｄであることを示している。  
これらゲートＧ１６，Ｇ１７，…，Ｇ３０は、図５に示した、バンクｃ，バンクｄに近い、直線状に並んだ第２のグループを指す。
【００６９】
図８は、第１の実施形態におけるエレベータの群管理制御システムの分担バンク表示装置による表示例を示す図である。  
バンク識別名および当該バンク識別名を表示するゲート識別名との対応関係が図７に示す関係にある場合、ゲートＧ１，Ｇ２，…，Ｇ６の分担バンク表示装置５には、図８に示すように、「バンクａ（Ａ，Ｂ，Ｃ，Ｄ号機、サービスエリア１〜５Ｆ）へは、このゲートからご入場ください」とのメッセージが表示され、行先階がバンクａのサービスエリアに含まれる利用者に対し、このバンクａの乗り場へ入場するための、ゲートＧ１，Ｇ２，…，Ｇ６の何れかの通行を促す。また、他のバンク、例えばバンクｂについては、ゲートＧ７，Ｇ８，…，Ｇ１５の分担バンク表示装置５には、「バンクｂ（Ｅ，Ｆ，Ｇ，Ｈ号機、サービスエリア１，６〜１０Ｆ）へは、このゲートからご入場ください」とのメッセージが表示され、行先階がバンクｂのサービスエリアに含まれる利用者に対し、このバンクｂの乗り場へ入場するための、ゲートＧ７，Ｇ８，…，Ｇ１５の何れかの通行を促す。
【００７０】
また、分担状況表示制御部１９は、図５に示した各ゲートの設置位置、および、分担バンク決定部１７により決定された、これらゲートの分担バンク表示装置５に表示されるバンクの識別名、および、図５に同じく示したゲート分担状況表示装置６の設置位置との関係をもとに、ゲート分担状況表示装置６に対し、ゲート分担状況表示装置６からの移動先にあるゲート群の分担バンク表示装置５による誘導先のゲートの表示状況を表示する（ステップＳ６）。
【００７１】
基準階のフリーエリアに入場して、ゲートの設置箇所に向かっているエレベータ利用者は、ゲート分担状況表示装置６の表示を参照する事で、ゲート分担状況表示装置６からの移動先にあるゲート群の分担バンク表示装置５による誘導先のゲートの表示状況を容易に把握する事ができ、自身の行先階をサービスエリアとするバンクの識別名を誘導先として表示する分担バンク表示装置５を有するゲートへ正しく移動する事ができる。
【００７２】
そして、基準階のフリーエリアのゲート群の前に移動したエレベータ利用者は、分担バンク表示装置５の表示にしたがって、自身が認識する行先階をサービスエリアとするバンクを誘導先とするゲートを容易に把握する事ができる。
【００７３】
次に、各ゲートにおける利用者の認証および当該認証に伴う運転制御について説明する。  
図９は、第１の実施形態におけるエレベータの群管理制御システムによる認証処理および運転制御処理の手順の一例を示すフローチャートである。  
ここでは、エレベータ利用者の所持するＩＣカードに記憶される利用者情報に含まれる、当該利用者の行先階は、５Ｆ、つまりバンクａのサービスエリアに属する行先階であるとする。また、この利用者は、自身の行先階である５Ｆがバンクａのサービスエリアに属する事を把握しているとする。
【００７４】
そして、このエレベータ利用者は、１Ｆのフリーエリアに設置されるゲート分担状況表示装置６の、図５に示した表示画面を参照して、自身の行先階である５Ｆをサービスエリアとするバンクａへの誘導表示である、バンクａ，バンクｂに近いゲートへの誘導表示に従って、バンクａ，バンクｂに近いゲートである、前述した第１のグループのゲート群の前へ移動する。
【００７５】
そして、利用者は、この移動先で視認できるゲート群のうち、分担バンク表示装置５に対して、図８に示したように「バンクａ（Ａ，Ｂ，Ｃ，Ｄ号機、行先階ゾーン２Ｆ〜５Ｆ）へは、このゲートからご入場ください。」と表示されるゲートのうちいずれかのゲートの読取装置３へＩＣカードを接近させると、この読取装置３とＩＣカードとの間で近距離無線通信が可能な状態となる。
【００７６】
この場合、読取装置３は、ＩＣカードに記憶される利用者情報を近距離無線通信により受信することで、この利用者情報を読み取る。  
すると、認証装置２は、データベースにアクセスし、このデータベースに記憶される利用者情報を読み出す。
【００７７】
認証装置２は、データベースに記憶される利用者情報とＩＣカードから読み取った利用者情報とを照合し、データベースに記憶される利用者情報のいずれかとＩＣカードから読み取った利用者情報とが一致する場合には、利用者の個人認証が成功したと判断し、この旨を示す信号、および、読み取り済みの利用者情報に含まれる行先階の情報、および、利用者情報の読み取り元の読取装置３が設置される１Ｆのホール呼びの信号を群管理制御装置１に出力する。これによりゲートにおける利用者の認証を行なう（ステップＳ１１）。
【００７８】
群管理制御装置１の割り当て制御部１５は、認証装置２からのホール呼びの信号を通信インタフェース１３を介して入力すると、認証装置２からの利用者情報に含まれる行先階をサービスエリアとするバンクの各号機の状態情報（かご位置、運転方向、戸開閉状態、各号機の行先階登録情報等）に基づいて、それぞれの評価値を算出する。
【００７９】
各号機の評価値が算出されると、割り当て制御部１５は、その中で評価値が最も良好な号機を最適かごとして選定し、この号機のかご制御装置２１に対し、割当信号、および、読み取り済みの利用者情報に含まれる行先階の情報を通信インタフェース１３を介して出力する（ステップＳ１２）。
【００８０】
具体的には、割り当て制御部１５は、認証装置２からの利用者情報に含まれる行先階が前述したように５Ｆである際は、この５Ｆをサービスエリアとするバンクａの各号機の状態情報に基づいて、それぞれの評価値を算出し、その中で評価値が最小となる号機を最適かごとして選定する。
【００８１】
そして、割り当て制御部１５は、割当信号の出力先の号機の識別名を利用者に知らせるためのメッセージを各ゲートの割当表示装置４に一定時間表示させるための表示指示信号を通信インタフェース１３を介して認証装置２に出力する。認証装置２は、割り当て制御部１５からの表示指示信号を入力すると、当該割当信号が示す号機が応答予定である旨を示すメッセージをホール呼び元の階床の各ゲートの割当表示装置４に一定時間表示させる（ステップＳ１３）。  
そして、群管理制御装置１からの割当信号を入力したかご制御装置２１は、自号機を、乗客の待つ階床である１Ｆに応答させる（ステップＳ１４）。
【００８２】
そして、応答してから、ゲートにいる利用者が、この応答した号機に乗り込めたとする所定のタイミングで、この号機のかご制御装置２１は、群管理制御装置１からの行先階の情報で示される行先階の登録を行ない（ステップＳ１５）、この行先階への運転制御を行なう（ステップＳ１６）。  
これにより、エレベータ利用者は、自身の所持するＩＣカードをゲートの読取装置３に近接させれば、このＩＣカードに記憶される行先階である、自身の行先階のかご呼びのための操作を行なうことなく、当該行先階まで移動することができる。
【００８３】
以上のように、第１の実施形態におけるエレベータの群管理制御システムでは、エレベータの乗りかごのサービスエリアごとに区分される各バンクを有するエレベータにおいて、各ゲートのそれぞれについて、当該ゲートからの利用者の誘導先とするバンクを決定し、この識別名を該当するゲートの分担バンク表示装置５に表示させる。よって、利用ｓ多に対する、各バンクのうち利用者の行先階をサービスエリアとするバンクへの誘導を行なうことができる。これにより、利用者が通るゲートの位置から群管理制御により割り当てられた号機までの当該利用者の移動距離が著しく長くなることを防止でき、また、複数の利用者同士の同じタイミングでの動線の交差を低減することができるので、乗りかごのサービスエリアごとに区分されるバンクの乗り場への乗客の移動の効率を改善することができる。よって、ゲートでの認証とともに群管理制御により割り当てられた乗りかごへの乗客への乗り遅れを防止することができる。
【００８４】
（第２の実施形態）
次に、第２の実施形態について説明する。なお、本実施形態におけるエレベータの群管理制御システムの構成のうち図１に示したものと同一部分の説明は省略する。  
本実施形態は、現在の時間帯が、エレベータ利用者の数が少なく、基準階のセキュリティエリア内における複数の利用者の動線の交差の低減を要しない時間帯に属する場合には、第１の実施形態で説明した、利用者の動線の交差を低減するための分担バンク表示装置５による表示を行なう必要性が無い事に着目し、この分担バンク表示装置５による表示を停止する事で、フリーエリア内のエレベータ利用者の移動距離が長くなる事を防止して、エレベータ利用者の利便性を向上させることを特徴とする。
【００８５】
図１０は、第２の実施形態におけるエレベータの群管理制御システムの群管理制御装置の機能構成の一例を示すブロック図である。  
本実施形態では、群管理制御装置１は、図１０に示すように、第１の実施形態で説明した制御部１１、記憶装置１２、通信インタフェース１３、登録制御部１４、割り当て制御部１５、需要統計処理部１６、分担バンク決定部１７、分担バンク表示制御部１８、分担状況表示制御部１９に加え、第１の実施形態と比較した特徴的な要素として、計時部３１およびバンク分担要否判断部３２をさらに有する。
【００８６】
計時部３１は、現在時刻を計時する。また、本実施形態では、記憶装置１２は、エレベータ利用の閑散時間帯、つまり、前述したように、基準階のセキュリティエリア内における複数の利用者の動線の交差の発生の頻度が著しく低い時間帯の情報を記憶する。
【００８７】
さらに、記憶装置１２は、エレベータ利用の平常時間帯、つまり、前述したように、基準階のセキュリティエリア内における複数の利用者の動線の交差の発生の頻度が通常であって、この頻度の低減を要しない時間帯の情報を記憶する。
【００８８】
バンク分担要否判断部３２は、計時部３１により計時した現在時刻が、前述した閑散時間帯や平常時間帯に属する場合には、複数の利用者の動線の交差の発生の頻度の低減の必要が無く、分担バンク表示装置５による表示を停止すべきと判断し、また、計時部３１により計時した現在時刻が、前述した閑散時間帯や平常時間帯に属さなくなった場合、つまり、基準階のセキュリティエリア内における複数の利用者の動線の交差の発生の頻度が閑散時間帯や平常時間帯より高い時間帯には、複数の利用者の動線の交差の発生の頻度を低減させて、この動線の交差の頻度を低減するために、分担バンク表示装置５による表示を継続もしくは再開すべきと判断する。
【００８９】
次に、本実施形態のエレベータの群管理制御システムの動作について説明する。図１１は、第２の実施形態におけるエレベータの群管理制御システムによる表示制御処理の手順の一例を示すフローチャートである。  
まず、群管理制御装置１の分担バンク決定部１７は、記憶装置１２の需要データ記憶部１２ａから、各バンクの利用需要データを読み出す（ステップＳ１）。
【００９０】
そして、分担バンク決定部１７は、各ゲートと各バンクとの位置関係を示す位置情報を記憶装置１２から読み出す（ステップＳ２）。  
分担バンク決定部１７は、各ゲートのうち１つを選択し（ステップＳ３）、当該選択したゲートからの誘導先とするバンクを決定し、前述した選択済みのゲート、および当該ゲートからの誘導先として決定したバンクとの対応情報を記憶装置１２のバンク情報記憶部１２ｂに記憶する（ステップＳ４）。
【００９１】
そして、分担バンク決定部１７により各ゲートのうち、前述した誘導先とするバンクが決定していないゲートがある場合には（ステップＳ５のＮＯ）、Ｓ３に戻る。  
また、分担バンク決定部１７により、各ゲートの全てについて前述した誘導先とするバンクを決定した場合には（ステップＳ５のＹＥＳ）、分担バンク表示制御部１８は、分担バンク決定部１７により決定した、各ゲートのそれぞれについての、当該ゲートからの利用者の誘導先とするバンクの識別名のメッセージを、該当するゲートの分担バンク表示装置５に表示させる。
【００９２】
また、分担状況表示制御部１９は、各ゲートの設置位置、および、これらゲートの分担バンク表示装置５に表示されるバンクの識別名、および、ゲート分担状況表示装置６の設置位置との関係をもとに、ゲート分担状況表示装置６に対し、ゲート分担状況表示装置６からの移動先にあるゲート群の分担バンク表示装置５による誘導先のゲートの表示状況を表示する（ステップＳ６）。ここまでの処理は第１の実施形態と同じである。
【００９３】
そして、本実施形態における、第１の実施形態と比較した特徴的な処理として、群管理制御装置１の計時部３１は、現在時刻を計時して、この計時した現在時刻をバンク分担要否判断部３２に出力する（ステップＳ２１）。  
バンク分担要否判断部３２は、計時部３１により計時した現在時刻が、記憶装置１２に記憶される閑散時間帯や平常時間帯に属するか否かを判断する（ステップＳ２２）。
【００９４】
バンク分担要否判断部３２は、計時部３１により計時した現在時刻が、記憶装置１２に記憶される閑散時間帯や平常時間帯に属していない場合には（ステップＳ２２のＮＯ）、複数の利用者の動線の交差の発生の頻度が高く、分担バンク表示制御部１８による、分担バンク表示装置５に対する、分担バンク決定部１７により決定したバンクの識別名の表示を継続すべきと判断し、Ｓ２１に戻る。
【００９５】
一方、バンク分担要否判断部３２は、計時部３１により計時した現在時刻が、記憶装置１２に記憶される閑散時間帯や平常時間帯に属する場合には（ステップＳ２２のＹＥＳ）、複数の利用者の動線の交差の発生の頻度が高くなく、この頻度を低減する必要がないので、分担バンク表示装置５に対する、分担バンク決定部１７により決定したバンクの識別名の表示を停止すべきと判断し、各ゲートの分担バンク表示装置５による表示の停止指示信号を分担バンク表示制御部１８に出力する。
【００９６】
分担バンク表示制御部１８は、バンク分担要否判断部３２からの停止指示信号を入力すると、各ゲートの分担バンク表示装置５に対する、分担バンク決定部１７により決定したバンクの識別名の表示を停止する（ステップＳ２３）。  
この表示の停止後に、群管理制御装置１の計時部３１は、現在時刻を計時して、この計時した現在時刻をバンク分担要否判断部３２に出力する（ステップＳ２４）。
【００９７】
バンク分担要否判断部３２は、計時部３１により計時した現在時刻が、記憶装置１２に記憶される閑散時間帯や平常時間帯外に属さなくなったか否かを判断する（ステップＳ２５）。
【００９８】
バンク分担要否判断部３２は、計時部３１により計時した現在時刻が、記憶装置１２に記憶される閑散時間帯や平常時間帯外になおも属している場合には（ステップＳ２５のＮＯ）、分担バンク表示制御部１８による、分担バンク表示装置５に対する、分担バンク決定部１７により決定したバンクの識別名の表示を引き続き停止させるべきと判断し、Ｓ２４に戻る。
【００９９】
一方、バンク分担要否判断部３２は、計時部３１により計時した現在時刻が、記憶装置１２に記憶される閑散時間帯や平常時間帯に属さなくなった場合には（ステップＳ２５のＹＥＳ）、複数の利用者の動線の交差の発生の頻度が高くなり、この頻度を低減する必要が生じ、分担バンク表示装置５に対する、分担バンク決定部１７により決定したバンクの識別名の表示を再開すべきと判断し、分担バンク表示装置５による表示の再開指示信号を分担バンク表示制御部１８に出力する。
【０１００】
分担バンク表示制御部１８は、バンク分担要否判断部３２からの再開指示信号を入力すると、分担バンク表示装置５に対する、分担バンク決定部１７により決定したバンクの識別名の表示を再開する（ステップＳ２６）。
【０１０１】
以上のように、第２の実施形態におけるエレベータの群管理制御システムでは、第１の実施形態で説明した特徴に加え、現在の時間帯が、エレベータ利用の閑散時間帯や平常時間帯、つまり、基準階のセキュリティエリア内における複数の利用者の動線の交差の発生の頻度が著しく低いもしくは通常の頻度にある時間帯に属する場合には、分担バンク表示装置５による表示を行なうことによる、利用者の動線の交差の低減の効果が低くなる事に着目し、分担バンク表示装置５による表示を停止する。よってフリーエリア内のエレベータ利用者の移動距離が長くなる事を防止して、エレベータ利用者の利便性を向上させることができる。
【０１０２】
（第３の実施形態）
次に、第３の実施形態について説明する。本実施形態は、基準階のセキュリティエリア内が著しく混雑している場合に、このセキュリティエリア内の混雑を緩和するために、ゲートの稼働台数を減少させてフリーエリアからセキュリティエリアへの利用者の通行を制限することを特徴とする。
【０１０３】
図１２は、第３の実施形態におけるエレベータの群管理制御システムの群管理制御装置の機能構成の一例を示すブロック図である。  
本実施形態では、群管理制御装置１は、図１２に示すように、第１の実施形態で説明した制御部１１、記憶装置１２、通信インタフェース１３、登録制御部１４、割り当て制御部１５、需要統計処理部１６、分担バンク決定部１７、分担バンク表示制御部１８、分担状況表示制御部１９に加え、第１の実施形態と比較した特徴的な要素として、混雑状況検出部４１、およびゲート稼働切替部４２をさらに有する。
【０１０４】
混雑状況検出部４１は、基準階のセキュリティエリア内の混雑状況を、例えば図示しないカメラでの撮影画像を解析する事により検出する。また、混雑状況検出部４１は、需要統計処理部１６による、各バンクの各号機についてのかご呼びの頻度の計算結果に基づいて、基準階のセキュリティエリア内の混雑状況を検出してもよい。
【０１０５】
ゲート稼働切替部４２は、混雑状況検出部４１により検出した混雑状況が、緩和を要する混雑状況にある所定の条件、例えばカメラでの撮影画像を解析結果で示される、セキュリティエリア内の利用者の人数が所定人数以上である条件を満たす場合、各ゲートのうち、稼働するゲートの数を減らすために、所定数のゲートの読取装置３の機能を無効にし、また、当該ゲートの分担バンク表示装置５に対して当該ゲートが使用できない旨の表示を分担バンク表示制御部１８に指示する。分担バンク表示制御部１８は、この指示を受けると、対象のゲートの分担バンク表示装置５に対して、当該ゲートが使用できない旨の表示を行なう。
【０１０６】
次に、本実施形態のエレベータの群管理制御システムの動作について説明する。図１３は、第３の実施形態におけるエレベータの群管理制御システムによる表示制御処理の手順の一例を示すフローチャートである。  
まず、群管理制御装置１の分担バンク決定部１７は、記憶装置１２の需要データ記憶部１２ａから、各バンクの利用需要データを読み出す（ステップＳ１）。
【０１０７】
そして、分担バンク決定部１７は、各ゲートと各バンクとの位置関係を示す位置情報を記憶装置１２から読み出す（ステップＳ２）。  
分担バンク決定部１７は、各ゲートのうち１つを選択し（ステップＳ３）、当該選択したゲートからの誘導先とするバンクを決定し、前述した選択済みのゲート、および当該ゲートからの誘導先として決定したバンクとの対応情報を記憶装置１２のバンク情報記憶部１２ｂに記憶する（ステップＳ４）。
【０１０８】
そして、分担バンク決定部１７により各ゲートのうち、前述した誘導先とするバンクが決定していないゲートがある場合には（ステップＳ５のＮＯ）、Ｓ３に戻る。  
また、分担バンク決定部１７により、各ゲートの全てについて前述した誘導先とするバンクを決定した場合には（ステップＳ５のＹＥＳ）、分担バンク表示制御部１８は、分担バンク決定部１７により決定した、各ゲートのそれぞれについての、当該ゲートからの利用者の誘導先とするバンクの識別名のメッセージを、該当するゲートの分担バンク表示装置５に表示させる。
【０１０９】
また、分担状況表示制御部１９は、各ゲートの設置位置、および、これらゲートの分担バンク表示装置５に表示されるバンクの識別名、および、ゲート分担状況表示装置６の設置位置との関係をもとに、ゲート分担状況表示装置６に対し、ゲート分担状況表示装置６からの移動先にあるゲート群の分担バンク表示装置５による誘導先のゲートの表示状況を表示する（ステップＳ６）。ここまでの処理は第１の実施形態と同じである。
【０１１０】
そして、本実施形態における、第１の実施形態と比較した特徴的な処理として、群管理制御装置１の混雑状況検出部４１は、基準階のセキュリティエリア内の現在の混雑状況を検出して、この検出結果をゲート稼働切替部４２に出力する（ステップＳ３１）。
【０１１１】
ゲート稼働切替部４２は、混雑状況検出部４１からの検出結果を入力すると、この検出結果で示される混雑状況が、緩和を要する混雑状況にある所定の条件を満たすか否かを判断する（ステップＳ３２）。
【０１１２】
ゲート稼働切替部４２は、混雑状況検出部４１からの検出結果で示される混雑状況が、緩和を要する混雑状況にある所定の条件を満たさないと判断した場合（ステップＳ３２のＮＯ）、セキュリティエリア内の混雑を緩和する必要はなく、ゲートの稼働台数を減少させてセキュリティエリアへの利用者の通行を制限する必要はないと判断して、Ｓ３１へ戻る。
【０１１３】
一方、ゲート稼働切替部４２は、混雑状況検出部４１からの検出結果で示される混雑状況が、緩和を要する混雑状況にある所定の条件を満たすと判断した場合（ステップＳ３２のＹＥＳ）、セキュリティエリア内の混雑を緩和する必要があり、この混雑の緩和のために、ゲートの稼働台数を減少させてセキュリティエリアへの利用者の通行を制限する必要があると判断する。
【０１１４】
この場合、ゲート稼働切替部４２は、認証装置２に対し、所定数のゲートの読取装置３による読み取り機能を無効化するとの指示信号を通信インタフェース１３を介して出力する。認証装置２は、ゲート稼働切替部４２からの指示信号を入力すると、各ゲートのうち所定数のゲートの読取装置３による読取を無効にすることで、ゲートの稼働を停止させる（ステップＳ３３）。
【０１１５】
そして、ゲート稼働切替部４２は、読取装置３による読取を無効にしたゲートの分担バンク表示装置５に対して当該ゲートが使用できない旨の表示を行なうとの指示信号を分担バンク表示制御部１８に出力する。
【０１１６】
分担バンク表示制御部１８は、ゲート稼働切替部４２からの指示信号を入力すると、読取装置３による読み取りを無効にしたゲートの分担バンク表示装置５に対して当該ゲートが使用できない旨の表示を行なう（ステップＳ３４）。ゲートが使用できない旨の表示形態は、例えば「このゲートは、現在お使いいただけません。」となる。
【０１１７】
エレベータ利用者は、この分担バンク表示装置５の表示を確認する事で、当該表示されている分担バンク表示装置５を有するゲートと異なる、稼働しているゲートへ移動することになる。
【０１１８】
また、エレベータ利用者がこの表示を見落として、当該分担バンク表示装置５が設けられるゲートの読取装置３へＩＣカードを近接させたとしても、この読取装置３による読取が無効となっているので、当該読取装置３が設けられるゲートは稼働しない。
【０１１９】
この結果、認証により通行可能なゲートの数が制限されて、基準階のフリーエリアからセキュリティエリアへの単位時間あたりの入場人数を減少させることができるので、当該セキュリティエリア内の利用者の混雑を緩和する事ができる。
【０１２０】
この後、群管理制御装置１の混雑状況検出部４１は、基準階のセキュリティエリア内の現在の混雑状況を再度検出して、この検出結果をゲート稼働切替部４２に出力する（ステップＳ３５）。
【０１２１】
ゲート稼働切替部４２は、混雑状況検出部４１からの検出結果を入力すると、この検出結果で示される混雑状況が、緩和を要する混雑状況にある所定の条件を満たさなくなったか否かを判断する（ステップＳ３６）。
【０１２２】
ゲート稼働切替部４２は、混雑状況検出部４１からの検出結果で示される混雑状況が、緩和を要する混雑状況にある所定の条件をなおも満たすと判断した場合（ステップＳ３６のＮＯ）、セキュリティエリア内の混雑の緩和のための所定数のゲートの稼働の停止および、当該停止したゲートの分担バンク表示装置５に対する当該ゲートが使用できない旨の表示を継続する必要があると判断し、Ｓ３６へ戻る。
【０１２３】
ゲート稼働切替部４２は、混雑状況検出部４１からの検出結果で示される混雑状況が、緩和を要する混雑状況にある所定の条件を満たさなくなったと判断した場合（ステップＳ３６のＹＥＳ）、所定数のゲートの稼働の停止および、当該停止したゲートの分担バンク表示装置５に対する当該ゲートが使用できない旨の表示によりセキュリティエリア内の混雑が緩和されており、停止させていたゲートの稼働を再開して、当該停止していたゲートの分担バンク表示装置５に対する当該ゲートが使用できない旨の表示を終了させる必要があると判断する。
【０１２４】
この場合、ゲート稼働切替部４２は、認証装置２に対し、所定数のゲートの読取装置３による読み取り機能の無効を解除して稼働を再開させるとの指示信号を通信インタフェース１３を介して出力する。認証装置２は、ゲート稼働切替部４２からの指示信号を入力すると、所定数のゲートの読取装置３による読み取りの無効を解除して、当該ゲートの稼働を再開させる（ステップＳ３７）。
【０１２５】
そして、ゲート稼働切替部４２は、読取装置３による読み取りの無効を解除したゲートの分担バンク表示装置５に対する当該ゲートが使用できない旨の表示を終了するとの指示信号を分担バンク表示制御部１８に出力する。
【０１２６】
分担バンク表示制御部１８は、ゲート稼働切替部４２からの指示信号を入力すると、読取装置３による読み取りの無効を解除したゲートの分担バンク表示装置５に対する当該ゲートが使用できない旨の表示を終了する（ステップＳ３８）。これにより、セキュリティエリア内の混雑が緩和された場合に、停止させていたゲートの稼働を再開させて、当該停止していたゲートの分担バンク表示装置５に対する当該ゲートが使用できない旨の表示を終了させることができる。
【０１２７】
以上のように、第３の実施形態におけるエレベータの群管理制御システムでは、基準階のセキュリティエリア内が著しく混雑している場合に、このセキュリティエリア内の混雑を緩和するために、ゲートの稼働台数を減少させてフリーエリアからセキュリティエリアへの利用者の通行を制限することで、セキュリティエリア内の混雑を緩和することができる。
【０１２８】
（第４の実施形態）
次に、第４の実施形態について説明する。本実施形態は、第１の実施形態で説明した、各ゲートのそれぞれについて、当該ゲートからの利用者の誘導先のバンクを決定する処理を、複数に区分した時間帯のそれぞれについて行なうことで、時間帯によって、各ゲートからの利用者の誘導先のバンクを決定することを特徴とする。
【０１２９】
図１４は、第４の実施形態におけるエレベータの群管理制御システムの群管理制御装置の機能構成の一例を示すブロック図である。  
本実施形態では、群管理制御装置１は、図１４に示すように、第１の実施形態で説明した制御部１１、記憶装置１２、通信インタフェース１３、登録制御部１４、割り当て制御部１５、需要統計処理部１６、分担バンク決定部１７、分担バンク表示制御部１８、分担状況表示制御部１９に加え、第１の実施形態と比較した特徴的な要素として、計時部３１をさらに有する。
【０１３０】
計時部３１は、現在時刻を計時する。また、本実施形態では、群管理制御装置１の需要統計処理部１６は、登録制御部１４により各号機について登録したかご呼びの数を、過去一定期間内に集計し、この発生頻度を、複数に区分した所定の時間帯、例えば午前中、日中、夜間というように区分された時間帯のそれぞれについて、各バンクのそれぞれについて計算し、この計算結果を各バンクの時間帯毎の利用需要データとして記憶装置１２の需要データ記憶部１２ａに記憶する。
【０１３１】
次に、本実施形態のエレベータの群管理制御システムの動作について説明する。図１５は、第３の実施形態におけるエレベータの群管理制御システムによる表示制御処理の手順の一例を示すフローチャートである。  
まず、群管理制御装置１の計時部３１は、現在時刻を計時し（ステップＳ４１）、この計時した時刻を分担バンク決定部１７に出力する。
【０１３２】
分担バンク決定部１７は、計時部３１からの現在時刻を入力すると、この現在時刻が、記憶装置１２の需要データ記憶部１２ａに記憶される利用需要データで区分される各時間帯のいずれに属するかを判定する（ステップＳ４２）。
【０１３３】
そして、群管理制御装置１の分担バンク決定部１７は、記憶装置１２の需要データ記憶部１２ａから、Ｓ４２で判定した時間帯に応じた、各バンクの利用需要データを読み出す（ステップＳ４３）。
【０１３４】
そして、分担バンク決定部１７は、ゲートと各バンクとの位置関係を示す位置情報を記憶装置１２から読み出す（ステップＳ２）。  
分担バンク決定部１７は、各ゲートのうち１つを選択し（ステップＳ３）、当該選択したゲートからの誘導先とするバンクを決定し、前述した選択済みのゲート、および当該ゲートからの誘導先として決定したバンクとの対応情報を記憶装置１２のバンク情報記憶部１２ｂに記憶する（ステップＳ４）。
【０１３５】
そして、分担バンク決定部１７により各ゲートのうち、前述した誘導先とするバンクが決定していないゲートがある場合には（ステップＳ５のＮＯ）、Ｓ３に戻る。  
また、分担バンク決定部１７により、各ゲートの全てについて前述した誘導先とするバンクを決定した場合には（ステップＳ５のＹＥＳ）、分担バンク表示制御部１８は、分担バンク決定部１７により決定した、各ゲートのそれぞれについての、当該ゲートからの利用者の誘導先とするバンクの識別名のメッセージを、該当するゲートの分担バンク表示装置５に表示させる。
【０１３６】
また、分担状況表示制御部１９は、各ゲートの設置位置、および、これらゲートの分担バンク表示装置５に表示されるバンクの識別名、および、ゲート分担状況表示装置６の設置位置との関係をもとに、ゲート分担状況表示装置６に対し、ゲート分担状況表示装置６からの移動先にあるゲート群の分担バンク表示装置５による誘導先のゲートの表示状況を表示する（ステップＳ６）。
【０１３７】
以上のように、第４の実施形態におけるエレベータの群管理制御システムでは、第１の実施形態で説明した特徴に加え、複数に区分した時間帯ごとの各バンクの利用需要データをもとに、各ゲートのそれぞれについて、当該ゲートからの利用者の誘導先とするバンクを決定する処理を、前述した時間帯ごとに行なう。よって、各ゲートのそれぞれについて、当該ゲートからの利用者の誘導先とするバンクを時間帯ごとに決定することができるので、各ゲートから誘導するバンクを、時間帯ごとの各バンクの利用需要に応じて適切に変更できる。
【０１３８】
本実施形態では、群管理制御装置１の分担バンク決定部１７は、例えば、ある特定のバンクの利用需要が多い時間帯では、このバンクへ誘導する表示を行なうゲートの数を多くし、ある特定のバンクの利用需要が少ない時間帯では、このバンクへ誘導する表示を行なうゲートの数を少なくする。よって、第１の実施形態と比較して、複数の利用者同士の同じタイミングでの動線の交差の低減の効果が向上するので、この動線の交差に起因する、割り当てられた乗りかごへの乗客への乗り遅れをより確実に防止することができる。
【０１３９】
これらの各実施形態によれば、乗りかごのサービスエリアごとに区分されるバンクの乗り場への乗客の移動の効率を改善することで乗り遅れを防止することが可能になるエレベータの群管理制御システムを提供することができる。  
発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行なうことができる。これら実施形態やその変形は、発明の範囲や要旨に含まれるとともに、特許請求の範囲に記載された発明とその均等の範囲に含まれる。
【符号の説明】
【０１４０】
１…群管理制御装置、２…認証装置、３…読取装置、４…割当表示装置、５…分担バンク表示装置、６…ゲート分担状況表示装置、１１…制御部、１２…記憶装置、１２ａ…需要データ記憶部、１２ｂ…バンク情報記憶部、１３…通信インタフェース、１４…登録制御部、１５…割り当て制御部、１６…需要統計処理部、１７…分担バンク決定部、１８…分担バンク表示制御部、１９…分担状況表示制御部、２０…ホール呼び登録ボタン、２１…かご制御装置、３１…計時部、３２…バンク分担要否判断部、４１…混雑状況検出部、４２…ゲート稼働切替部。
【図１】
0005721269.tif 000002
【図２】
0005721269.tif 000003
【図３】
0005721269.tif 000004
【図４】
0005721269.tif 000005
【図５】
0005721269.tif 000006
【図６】
0005721269.tif 000007
【図７】
0005721269.tif 000008
【図８】
0005721269.tif 000009
【図９】
0005721269.tif 000010
【図１０】
0005721269.tif 000011
【図１１】
0005721269.tif 000012
【図１２】
0005721269.tif 000013
【図１３】
0005721269.tif 000014
【図１４】
0005721269.tif 000015
【図１５】
0005721269.tif 000016